【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
容器に取り付けられるようにサイズ決めされかつ構成された蓋であって、前記蓋が、
前記蓋の第１開口であって、該蓋の上側表面から外方へ延びかつ上面を有する外壁によって少なくとも部分的に画定された第１開口と、
前記蓋の第２開口であって、前記外壁によって少なくとも部分的に画定された第２開口と、
前記第１開口と第２開口とを分離する共通壁であって、前記第１開口および第２開口を少なくとも部分的に画定し、かつ、上面を有する共通壁と、
前記第２開口と連通する導管と
を含み、
前記第１開口は、前記蓋が容器に取り付けられると容器の上側部分に第１流体経路を提供するようにサイズ決めされかつ構成されており、
前記第２開口および導管は、前記蓋が容器に取り付けられると容器の下側部分に第２流体経路を提供するようにサイズ決めされかつ構成されており、
前記第１開口を囲む前記外壁の上面の一部は、前記第２開口を囲む前記外壁の上面の一部または前記共通壁の上面の一部の少なくとも一方と連続している、蓋。
【請求項２】
前記第１開口および第２開口が注ぎ口の中に配置され、前記注ぎ口が外壁および共通壁によって少なくとも部分的に画定される、請求項１に記載の蓋。
【請求項３】
前記第１開口を囲む前記外壁の上面の一部は、前記蓋の上側表面から共通の高さにおいて、前記第２開口を囲む前記外壁の上面の一部または前記共通壁の上面の一部の少なくとも一方と合流する、請求項１に記載の蓋。
【請求項４】
前記第１開口の後部における該第１開口の最も上側の部分が、前記共通の高さよりも前記蓋の上側表面からより低い位置にあり、
前記第２開口の前部における該第２開口の最も上側の部分が、前記共通の高さよりも前記蓋の上側表面からより高い位置にある、請求項３に記載の蓋。
【請求項５】
前記第１開口の上側部分の中心部分が前記蓋から第１の距離だけ離間しており、
前記第２開口の上側部分の中心部分が前記蓋から第２の距離だけ離間しており、
前記第２の距離が前記第１の距離よりも大きい、請求項１に記載の蓋。
【請求項６】
前記第１開口が略円形の断面構造を有しており、
前記第２開口が略弧状の断面構造を有しており、
前記共通壁が、前記第１開口の一部を前記第２開口の弧状の部分に少なくとも部分的に入れ子式に配置することを可能にする、請求項１に記載の蓋。
【請求項７】
前記蓋が容器に接続され、かつ、容器に流体が満たされているときに、容器を逆さにすると流体を前記第１開口から注ぐことができ、
容器を略直立した状態にすると、前記導管および第２開口から流体を吸い込むことができる、請求項１に記載の蓋。
【請求項８】
前記共通壁および第２開口の前側部分が、前記蓋が略直立した状態にあるときに、垂直な軸に対して約１０°〜約２０°の角度で配置される、請求項１に記載の蓋。
【請求項９】
前記外壁に下唇受止部分をさらに有し、前記下唇受止部分が、前記蓋の第２開口を通って流れる流体を消費する人の下唇を受け止めるようにサイズ決めされかつ構成されており、
前記外壁の上側部分に上唇受止部分をさらに有し、前記上唇受止部分が、前記蓋の第２開口を通って流れる流体を消費する使用者の上唇を受け止めるようにサイズ決めされかつ構成されている、請求項１に記載の蓋。
【請求項１０】
容器に取り付けられるようにサイズ決めされかつ構成された蓋であって、容器が流体で満たされるようにサイズ決めされかつ構成されており、前記蓋が、
本体と、
前記本体の上側表面から延在する注ぎ口であって、上面を有する外壁によって少なくとも部分的に画定された注ぎ口と、
前記注ぎ口の中に配置され、かつ、容器の第１部分に対して第１流体経路を提供する第１開口と、
前記注ぎ口の中に配置された第２開口であって、
前記外壁が、前記第１開口および第２開口を囲み、かつ、
前記第１開口を囲む前記外壁の上面の一部が前記第２開口に向かって上方に傾斜する、第２開口と、
前記第２開口に連結され、かつ、該第２開口から容器の第２部分まで延在する導管であって、導管および前記第２開口が容器の第２部分に対して第２流体経路を提供する、導管とを含む、蓋。
【請求項１１】
前記第１開口を囲み、かつ、前記第２開口に向かって上方に傾斜する前記外壁の上面の一部が、前記第２開口を囲む前記外壁の上面の一部と連続しており、前記第２開口を囲む前記外壁の上面の一部が、前記第１開口を囲む前記外壁の上面の一部と、前記本体から共通の高さで合流する、請求項１０に記載の蓋。
【請求項１２】
前記外壁の上面が、前記第２開口に向かって上方に傾斜する前に、前記第１開口の後部からその後部と該第１開口の前部との間の位置まで下方に傾斜する、請求項１０に記載の蓋。
【請求項１３】
前記第１開口を囲む前記外壁の上面の一部が、前記第２開口を囲む前記外壁の上面の一部と連続しており、前記第２開口を囲む前記外壁の上面の一部が、前記第１開口を囲む前記外壁の上面の一部と、前記本体から共通の高さで合流する、請求項１０に記載の蓋。
【請求項１４】
装置であって、
本体と、
前記本体に取外し可能に取り付けられる容器と、
前記本体から外方に延在し、かつ、上面を有する外壁と、
第１開口であって、前記外壁によって少なくとも部分的に画定され、かつ、前記本体を通る第１経路を提供する第１開口と、
第２開口であって、前記外壁によって少なくとも部分的に画定され、かつ、前記本体を通る第２経路を提供する第２開口と、
前記第１開口と前記第２開口とを分離する共通壁であって、前記第１開口および第２開口を少なくとも部分的に画定する共通壁と、
前記第２開口に連結されて前記第２経路から前記容器まで延在する導管と
を含み、
前記上面が前記第１開口および第２開口を囲み、かつ、
前記第１開口を囲む前記外壁の上面の一部が前記第２開口に向かって上方に延在する、装置。
【請求項１５】
前記第１開口の前部における該第１開口の最も上側の部分および前記第２開口の後部における該第２開口の最も上側の部分が、前記本体から共通の高さにある、請求項１４に記載の装置。
【請求項１６】
前記第１開口を囲む前記外壁の上面の一部が、前記第２開口を囲む前記外壁の上面の一部または前記共通壁の上面の一部のうちの少なくとも一方と連続しており、
前記第１開口を囲む前記外壁の上面の一部が、前記本体から共通の高さにおいて、前記第２開口を囲む前記外壁の上面の一部または前記共通壁の上面の一部のうちの少なくとも一方と合流する、請求項１４に記載の装置。
【請求項１７】
前記第１開口の後部における該第１開口の最も上側の部分が、前記共通の高さよりも低い位置にある、請求項１５に記載の装置。
【請求項１８】
前記第２開口の前部における該第２開口の最も上側の部分が、前記共通の高さよりも高い位置にある、請求項１５に記載の装置。
【請求項１９】
前記第１開口を囲む前記外壁の上面の一部が、少なくとも前記共通の高さまで上方に延びる、請求項１５に記載の装置。
【請求項２０】
前記第１開口を囲む前記外壁の上面の一部が、少なくとも前記共通壁の上面の一部および前記第２開口を囲む前記外壁の最も低い位置まで上方に延びる、請求項１４に記載の装置。
【請求項２１】
装置であって、
蓋と、
前記蓋に取外し可能に取り付けられる容器と、
前記蓋から外方に延在する注ぎ口であって、上面を有する外壁によって少なくとも部分的に画定される注ぎ口と、
前記注ぎ口の中に配置された第１開口であって、前記容器に第１経路を提供する第１開口と、
前記注ぎ口の中に配置された第２開口と、
前記第１開口と前記第２開口とを分離する共通壁であって、前記第１開口および第２開口を少なくとも部分的に画定し、かつ、上面を有する共通壁と、
前記第２開口に連結された導管であって、導管および前記第２開口が前記容器に第２経路を提供する、導管とを含み、
前記第１開口を囲む前記外壁の上面の一部が、前記第２開口を囲む前記外壁の上面の一部または前記共通壁の上面の一部の少なくとも一方と連続しており、
前記第１開口を囲む前記外壁の上面の一部が、前記第２開口に向かって上方に傾斜する、装置。
【請求項２２】
前記第１開口を囲む前記外壁の上面の一部が、前記第２開口を囲む前記外壁の上面の一部または前記共通壁の上面の一部の少なくとも一方と、共通の高さで合流し、
前記第１開口の後部における該第１開口の最も上側の部分が、前記共通の高さよりも前記蓋の上側表面から低い位置にある、請求項２１に記載の装置。
【請求項２３】
前記第１経路が前記容器の上側部分に経路を提供し、前記第２経路が前記容器の下側部分に経路を提供する、請求項２１に記載の装置。
【請求項２４】
前記第２開口の前部における該第２開口の最も上側の部分が、前記共通の高さよりも前記蓋の上側表面から高い位置にある、請求項２２に記載の装置。
【請求項２５】
前記第１開口を囲む前記外壁の少なくとも一部が、少なくとも前記共通の高さまで上方に延びる、請求項２２に記載の装置。
【請求項２６】
前記第１開口を囲む前記外壁の少なくとも一部が、少なくとも前記共通壁の上面および前記第２開口を囲む前記外壁の最も低い位置まで上方に延びる、請求項２１に記載の装置。